(57)【特許請求の範囲】
【請求項１】
器体の前面にアース線が挿入されるアース線挿入口を１乃至複数設けるとともに、外部の接地線と接続される接地端子部と、該接地端子部に電気的に接続されたアース端子板と、前記アース線挿入口から挿入されるアース線を前記アース端子板に圧接して接触導通させる錠ばねとを前記器体内に納装して成り、大角形連用配線器具の１個モジュール寸法に前記器体を形成するとともに、大角形連用配線器具の取付枠に前記器体を着脱自在に取り付ける取付手段と、前記錠ばねを圧接解除方向に撓ませる解除手段とを具備し、該解除手段は、前記器体の前面に形成された凹部の一端側を軸にして回動自在に設けられ、操作時に前記錠ばねを圧接解除方向に撓ませる解除レバーから成り、前記凹部の他端側に前記アース線挿入口が設けられるとともに、非操作時の前記解除レバーを前記凹部内に収めて前記器体の前面側へ突出しないようにしたことを特徴とするアース用配線器具。
【発明の詳細な説明】
【０００１】
【発明の属する技術分野】
本発明は、アース線を結線するためのアース用配線器具に関するものである。
【０００２】
【従来の技術】
図６は従来のアース用配線器具の一例を示し、端子板（図示せず）、座金５０及び端子ねじ５１から成るねじ締め式のアース端子５２が器体４９の前面に設けられている。
【０００３】
【発明が解決しようとする課題】
上記従来例では、アース線をアース端子５２に結線する際に、端子ねじ５１の締め付けトルクに応じてアース線と端子板との接触信頼性が大きく変わってしまうという問題がある。
本発明は上記問題点の解決を目的とするものであり、アース線を確実に結線することができるアース用配線器具を提供しようとするものである。
【０００４】
【課題を解決するための手段】
請求項１の発明は、上記目的を達成するために、器体の前面にアース線が挿入されるアース線挿入口を１乃至複数設けるとともに、外部の接地線と接続される接地端子部と、該接地端子部に電気的に接続されたアース端子板と、前記アース線挿入口から挿入されるアース線を前記アース端子板に圧接して接触導通させる錠ばねとを前記器体内に納装して成り、大角形連用配線器具の１個モジュール寸法に前記器体を形成するとともに、大角形連用配線器具の取付枠に前記器体を着脱自在に取り付ける取付手段と、前記錠ばねを圧接解除方向に撓ませる解除手段とを具備し、該解除手段は、前記器体の前面に形成された凹部の一端側を軸にして回動自在に設けられ、操作時に前記錠ばねを圧接解除方向に撓ませる解除レバーから成り、前記凹部の他端側に前記アース線挿入口が設けられるとともに、非操作時の前記解除レバーを前記凹部内に収めて前記器体の前面側へ突出しないようにしたことを特徴とし、アース線挿入口からアース線を挿入すれば、錠ばねによってアース線をアース端子板に圧接して接触導通させることができ、従来のねじ締め式のアース端子に比較して高い接触信頼性が得られるとともに、アース線の結線作業が簡素化できる。また、解除レバーにより錠ばねを撓ませることでアース線を容易に結線し、且つ取り外すことができ、しかも、非操作時には解除レバーが器体の前面から突出しないから外観上の見栄えがよい。
【０００５】
【発明の実施の形態】
図１は本実施形態の分解斜視図であり、合成樹脂製のボディ２とカバー３とを金属製の組立枠４により結合して、大角形連用配線器具（ＪＩＳ Ｃ８３０４参照）の１個モジュール寸法の器体１を構成している。また、組立枠４は中央片４ａの両側から脚片４ｂが垂下されて全体が略コ字形に形成されるとともに、両脚片４ｂの先端部が二股になっている。そして、図２に示すようにボディ２をカバー３に突き合わせた状態でカバー３を跨ぐように組立枠４を取着し、二股の先端部を拡開してボディ２側面の係止部２ａに係止させることにより、ボディ２とカバー３を組立枠４によって結合している。組立枠４の中央片４ａには一対の係止爪４ｃと、略ロ字形の係止片４ｄとが設けてあり、後述するように、大角形連用配線器具の取付枠３０（ＪＩＳ Ｃ８３７５参照）に容易に取り付けられるようになっている。
【０００６】
図２（ｄ）に示すように、ボディ２の底部には収納部２ｂと連通する一対の接地線挿入孔７が設けてある。また上記収納部２ｂ内には、端子板９、鎖錠ばね１０並びに解除釦１１から成る速結端子構造を有する接地端子部８が収納される。ここで、端子板９は導電性を有する板材を略コ字形に折曲して形成され、両端からアース端子板１２が斜め方向に突出する基片９ａと、この基片９ａに対向する一対の端子片９ｂとを具備している。そして、基片９ａと各端子片９ｂとの間に上記鎖錠ばね１０並びに解除釦１１が配置される。
【０００７】
接地端子部８がボディ２の収納部２ｂ内に収納された状態では、鎖錠ばね１０に設けた鎖錠片１０ａ及び接触片１０ｂが端子片９ｂに対向する。鎖錠片１０ａ及び接触片１０ｂは、弾性を有する導電材料の帯板の両端部を曲成して中央片１０ｃの両端部に形成されている。鎖錠片１０ａは中央片１０ｃとの連結部位から先端縁に向かって端子片９ｂに近づく向きに傾斜し、接触片１０ｂは略Ｓ字形に曲成されている。また、中央片１０ｃは略平板状に形成されていて基片９ａに当接する。而して、鎖錠ばね１０の鎖錠片１０ａ及び接触片１０ｂと端子片９ｂとの間に、ボディ２の底部に設けた接地線挿入孔７から挿入された図示しない接地線（例えば、電源の接地側に接続された線等）が挿入されると、鎖錠片１０ａの先端が接地線に食い込んで抜け止めがなされるとともに、鎖錠片１０ａ及び接触片１０ｂによって接地線が端子片９ｂに圧接されることにより、接地線と端子板９（すなわち接地端子部８）との導通（接続）が図られる。また、解除釦１１は、操作されることによって鎖錠ばね１０の鎖錠片１０ａを圧接解除方向に撓ませ、鎖錠片１０ａの先端を接地線から引き離して接地端子部８と接地線との接続を解除するものである。
【０００８】
一方、基片９ａから突出する一対のアース端子板１２には、各々錠ばね１３が取着されている。この錠ばね１３は、帯板状のばね材を略三角形状に折曲するとともに、先細に形成された一方の先端部１３ａを他方の先端部分に形成された挿通孔１３ｂの周縁に係止させて成り、先端部１３ａを含む固定片１３ｃをアース端子板１２に面接触させてかしめや溶接等の適宜の方法により固定される。なお、アース端子板１２の先端部分も先細に形成されており、この先端部分が錠ばね１３の先端部１３ａと一体になって挿通孔１３ｂの周縁に係止される。
【０００９】
カバー３の前面には矩形の凹部３ａが一対設けてあり、各凹部３ａの一端側からカバー３内部に貫通するアース線挿入口５が設けてある。ここで、アース線挿入口５は、その中心線がカバー３前面の法線方向から所定の角度だけ傾けて形成してあり、図２（ｄ）に示すようにアース端子板１２の傾斜方向に略一致させてある。
【００１０】
さらに、カバー３内部に連通する各凹部３ａの他端側には、合成樹脂製の解除レバー１４が回動自在に枢着してある。この解除レバー１４は、平板状の操作部１４ａの一端側に、略扇形であって両側面より軸部１４ｃが突設された当接部１４ｂを一体に形成して成り、軸部１４ｃをカバー３内部に設けた軸孔（図示せず）に枢支して、凹部３ａ内に進退自在且つカバー３に対して回動自在となっている。ここで、解除レバー１４の当接部１４ｂが錠ばね１３の湾曲した角部１３ｄに当接しているため、錠ばね１３の復帰力によって解除レバー１４が閉じる方向に弾性付勢されている。なお、当接部１４ｂの側面には、カバー３の係止段部３ｅに係止して解除レバー１４の閉じる方向の回動を規制するストッパ部１４ｅが突設されている。
【００１１】
而して、カバー３前面のアース線挿入口５から挿入されるアース線１５は、図３に示すように、以下のようにしてアース端子板１２と電気的に接続される。
まず、図３（ａ）はアース線１５を接続する前の状態を示しており、上述のように錠ばね１３の復元力によって錠ばね１３の上記角部１３ｄに当接している解除レバー１４が図における反時計回りに付勢され、当接部１４ｂに突設されたストッパ部１４ｅがカバー３の係止段部３ｅに係止して解除レバー１４は基準位置に停止している。このとき、アース端子板１２に取着されている方の錠ばね１３の先端部１３ａが、他端側の挿通孔１３ｂの上端縁に係止されている。この状態から、人が手で操作部１４ａをカバー３の前面より突出する方向（図示における時計回りに回動する方向）に解除レバー１４を操作すれば、図３（ｂ）に示すように解除レバー１４が回動して当接部１４ｂにより錠ばね１３が撓ませられ、錠ばね１３の角部１３ｄがアース端子板１２の方へ移動し、それに伴って先端部１３ａが挿通孔１３ｂの上端縁から離れ、挿通孔１３ｂがアース線挿入口５に対向するようになる。
【００１２】
次に、解除レバー１４をカバー３の凹部３ａから引き上げた状態で、図３（ｃ）に示すようにアース線１５をアース線挿入口５に挿入すれば、アース線１５の芯線１５ａが錠ばね１３の挿通孔１３ｂに挿通される。この状態で解除レバー１４から手を離せば、錠ばね１３の復帰力によって解除レバー１４が図示における反時計回りに回動するため、錠ばね１３の挿通孔１３ｂが設けられている方の先端部分がアース端子板１２の方へ移動し、挿通孔１３ｂの上端縁によってアース端子板１２にアース線１５が圧接されることになる。よって、錠ばね１３のばね力によってアース線１５がアース端子板１２に圧接されるため、アース線１５とアース端子板１２とが接触導通し、電気的且つ機械的に接続されることになる。
【００１３】
一方、アース線１５を取り外す場合は逆の動作を行えばよく、解除レバー１４を図示における時計回りに回動させることで錠ばね１３の挿通孔１３ｂの上端縁を下方へ移動させ、錠ばね１３のばね力を解放することでアース端子板１２に対するアース線１５の圧接を解除し、アース線１５をアース線挿入口５から引き抜くことができる。
【００１４】
上述のように構成される本実施形態は、図４に示すような取付枠３０を用いて壁面等に埋込設置することができる。この取付枠３０は、合成樹脂製であって、長手方向に対向する取付片３１には、図示しない埋込ボックスに取り付けるためのボックスねじ用の長孔３２と、壁を構成する石膏ボードなどに取り付けるための従来周知のはさみ金具（図示せず）が取着される取着孔３３と、前面にプレート枠（図示せず）等を取り付けるためのプレートねじ用のねじ孔３４とが少なくとも設けてある。また、取付枠３０の一方の側片３５には２つで１組となった係止孔（図示せず）が３組ずつ並設され、他方の側片３６には横長の板片３７が垂設されている。この板片３７には開口部３９が３つ並設され、各開口部３９の下縁には突出片３８が上方へ突設してある。
【００１５】
而して、器体１を結合している組立枠４の係止爪４ａを側片３５の図示しない係止孔に挿入したのち、反対側の係止爪４ａを突出片３８の肩４０に載せるようにして開口部３９に挿入すれば、図４の一点破線で示すように器体１の前面を取付枠３０の取付孔４１から突出させた状態で器体１を取付枠３０に取り付けることができる。また、取付枠３０の残りの係止孔等にはコンセントやスイッチなどの他の配線器具（大角連用形配線器具）を取り付けることができ、取付枠３０によって他の配線器具と容易に並設できるものである。但し、係止爪を組立枠４に設ける代わりに、図５に示すようにカバー３の側面から係止爪４２を一体に突設するようにしてもよい。この場合には、例えばカバー３から垂設した組立爪の孔の周縁にボディ２の側面に突設した係止突起を係止することで、組立枠４を用いずにボディ２とカバー３とを組立結合すればよい。
【００１６】
なお、合成樹脂製の取付枠３０の代わりに、固定爪と可動爪とを取付孔の両側に備えた金属製の取付枠（図示せず）を用いて壁面等に配設することも可能である。この場合、組立枠４に突設された略ロ字形の係止片４ｄの孔の一方に固定爪を挿入したのち、可動爪を他方の係止片４ｄの孔に押し込んで係止することで容易に取り付けることができる。
【００１７】
上述のように本実施形態によれば、解除レバー１４を押し上げた状態でアース線挿入口５にアース線１５を挿入するだけで簡単に結線することができ、従来のねじ締め式のアース端子に比較して結線作業が容易になって施工性が向上できる。しかも、アース線１５は錠ばね１３によって常に一定の力でアース端子板１２に圧接されるため、ねじ締め式の従来例に比べて確実に結線することでき、接触信頼性の向上が図れる。また、器体１の前面に端子ねじのような大型の部品が突出するようことがなくなり、限られたスペースを有効に利用することができる。また、解除レバー１４の操作部１４ａが器体１の前面側へ突出しないため、器体１の前面を略平坦な状態にすることができ、外観上の見栄えをよくすることができる。さらに、アース線挿入口５を器体１の前面の法線方向から所定の角度だけ傾けて設けているので、結線されたアース線１５の突出方向を器体１の前面に略平行な方向とすることができ、他の配線器具と並設された場合にアース線１５が他の配線器具に干渉することが防止できるという利点がある。また、既存の配線器具と同様にして埋込ボックス等に容易に取り付けることができ、施工作業の簡素化や部品の共通化が図れるという利点もある。
【００１８】
【発明の効果】
請求項１の発明は、器体の前面にアース線が挿入されるアース線挿入口を１乃至複数設けるとともに、外部の接地線と接続される接地端子部と、該接地端子部に電気的に接続されたアース端子板と、前記アース線挿入口から挿入されるアース線を前記アース端子板に圧接して接触導通させる錠ばねとを前記器体内に納装して成り、大角形連用配線器具の１個モジュール寸法に前記器体を形成するとともに、大角形連用配線器具の取付枠に前記器体を着脱自在に取り付ける取付手段と、前記錠ばねを圧接解除方向に撓ませる解除手段とを具備し、該解除手段は、前記器体の前面に形成された凹部の一端側を軸にして回動自在に設けられ、操作時に前記錠ばねを圧接解除方向に撓ませる解除レバーから成り、前記凹部の他端側に前記アース線挿入口が設けられるとともに、非操作時の前記解除レバーを前記凹部内に収めて前記器体の前面側へ突出しないようにしたので、アース線挿入口からアース線を挿入すれば、錠ばねによってアース線をアース端子板に圧接して接触導通させることができ、従来のねじ締め式のアース端子に比較して高い接触信頼性が得られるとともに、アース線の結線作業が簡素化できるという効果がある。また、解錠レバーにより錠ばねを撓ませることでアース線を容易に結線し、且つ取り外すことができ、しかも、非操作時には解除レバーが器体の前面から突出しないから外観上の見栄えがよいという効果がある。
【図面の簡単な説明】
【図１】実施形態を示す分解斜視図である。
【図２】同上を示し、（ａ）は正面図、（ｂ）は側面図、（ｃ）は他方の側面図、（ｄ）は側面断面図である。
【図３】（ａ）〜（ｃ）は同上におけるアース線の結線方法を説明するための断面図である。
【図４】同上が取り付けられる取付枠の斜視図である。
【図５】同上の他の構成を示す正面図である。
【図６】従来例を示す正面図である。
【符号の説明】
１  器体
５  アース線挿入口
８  接地端子部
９  端子板
１２  アース端子板
１３  錠ばね
１４  解除レバー
【図１】
0003541614.tif 000002
【図２】
0003541614.tif 000003
【図３】
0003541614.tif 000004
【図４】
0003541614.tif 000005
【図５】
0003541614.tif 000006
【図６】
0003541614.tif 000007